(57)【要約】本発明は、第１及び第２のフランジ１１ｂ，１１ｃを伴う中心部１１ａを有するコア１１を備えたトランス１０，１０′であって、当該トランス１０，１０′の第１及び第２の巻線１２，１３が中心部１１ａに巻回されているトランスに関する。単純な適応が漏れ電流を制限することを可能にする、できる限りコンパクトなトランスを作製するために、巻線の本体部からガイドされる第１の巻線１２の巻線端片１２ａ，１２ｂが第１のフランジ１１ｂの少なくとも１つの凹部を通ってガイドされ、巻線の本体部からガイドされる第２の巻線１３の巻線端片１５ａ，１５ｂが設けられ、巻線端片が少なくとも部分的にルーズなライン端部を形成することが提案される。代替として、巻線の本体部からガイドされる第１の巻線１２の巻線端片１２ａ，１２ｂは、第１のフランジ１１ｂの縁部近傍に直接ガイドされ、第１のフランジ１１ｂの中心部１１ａと反対の側に配された接続素子１４ａ，１４ｂと接続される。
2004521517.tif 000002
【特許請求の範囲】
【請求項１】
第１及び第２のフランジを伴う中心部を有するコアを備えたトランスであって、当該トランスの第１及び第２の巻線は前記中心部に巻回されており、前記巻線の本体部からガイドされる前記第１の巻線の巻線端片が前記第１のフランジの少なくとも１つの凹部を通ってガイドされ、前記巻線の本体部からガイドされる前記第２の巻線の巻線端片が設けられ、前記巻線端片が少なくとも部分的にルーズなライン端部を形成するトランス。
【請求項２】
前記コアがフェライトコアであることを特徴とする請求項１記載のトランス。
【請求項３】
前記第２の巻線の巻線端片が、前記第２のフランジの少なくとも１つの凹部を通ってガイドされることを特徴とする請求項１記載のトランス。
【請求項４】
前記第１の巻線の前記巻線端片が、前記第１のフランジに配置された接続ピンと接続されたことを特徴とする請求項１記載のトランス。
【請求項５】
接続素子が前記第１のフランジと対向して配置されるように、前記第１のフランジに、前記第１の巻線の前記巻線端片と接続された当該接続素子を伴うベースプレートが配されたことを特徴とする請求項１記載のトランス。
【請求項６】
前記ベースプレートが前記第１のフランジを超えて延在するとともに、前記第１のフランジの外側を越えて延在する前記ベースプレートの一部に取り付けられ、前記第２の巻線の前記ルーズなライン端部と接続された２つの他の接続素子が設けられたことを特徴とする請求項５記載のトランス。
【請求項７】
中心部の２つの端部に第１及び第２のフランジを伴う当該中心部を有するコアを備えたトランスであって、当該トランスの第１及び第２の巻線は前記中心部に巻回されており、前記巻線の本体部からガイドされる前記第１の巻線の巻線端片が、前記第１のフランジの縁部近傍に直接ガイドされて、前記第１のフランジの前記中心部と反対側に配置された接続素子と接続され、前記巻線の本体部からガイドされる前記第２の巻線の巻線端片が設けられ、前記巻線端片が少なくとも部分的にルーズなライン端部を形成するトランス。
【請求項８】
前記接続素子が、前記第１のフランジに配置され、少なくとも１つの凹部を有する接続モジュールに取り付けられ、前記凹部を通って前記第１の巻線の巻線端片がガイドされることを特徴とする請求項７記載のトランス。
【請求項９】
第１及び第２のフランジを伴う中心部を有するコアを備えたトランスを伴った回路基板であって、前記トランスの第１及び第２の巻線は前記中心部に巻回されており、前記巻線の本体部からガイドされる前記第１の巻線の巻線端片が前記第１のフランジの少なくとも１つの凹部を通ってガイドされ、前記巻線の本体部からガイドされる前記第２の巻線の巻線端片が設けられ、前記巻線端片が、少なくとも部分的にルーズなライン端部を形成し、当該回路基板における接点と直接接続された回路基板。
【請求項１０】
中心部の２つの端部に第１及び第２のフランジを伴う当該中心部を有するコアを備えたトランスを伴った回路基板であって、前記トランスの第１及び第２の巻線は前記中心部に巻回されており、前記巻線の本体部からガイドされる前記第１の巻線の巻線端片が前記第１のフランジの縁部近傍に直接ガイドされて、前記第１のフランジの前記中心部と反対側に配置された接続素子と接続され、前記巻線の本体部からガイドされる前記第２の巻線の巻線端片が設けられ、前記巻線端片が、少なくとも部分的にルーズなライン端部を形成し、当該回路基板における接点と直接接続された回路基板。
【発明の詳細な説明】
【０００１】
【発明の属する技術分野】
本発明は、第１及び第２のフランジを伴う中心部（ｃｅｎｔｅｒ ｐｉｅｃｅ）を有するコアを備えたトランスであって、当該トランスの第１及び第２の巻線が上記中心部に巻回されたトランスに関する。
【０００２】
【従来の技術】
特開平７−８６０５４号公報には、上述したようなトランスが開示されている。これは、複数の接続素子を伴うフランジの１つの上に位置するベースプレートも有している。上記接続素子は、ベースプレートの２つの側に配置されている。一次及び二次巻線のルーズなライン端部、すなわち方向の誘導のない、空間を通って自由にガイドされる端部は、２つの接続素子と開放可能に（ｒｅｌｅａｓａｂｌｙ）それぞれ接続されており、上記ライン端部は接続素子の凹部に位置している。
【０００３】
このような構成の素子は、漏れ電流ができる限り回避される、すなわち電流の流れる２つの部分の間に位置する非導電性材料を介した該電流の流れる部分の間の望ましくない表面電流が妨げられるように設計されている。上記電流の流れる部分の間の距離は、漏れ経路として知られている。
【０００４】
【発明が解決しようとする課題】
本発明の目的は、単純な適応（ａｄａｐｔａｔｉｏｎ）が漏れ電流を制限することを可能にする、できる限りコンパクトなトランスを作製することにある。
【０００５】
【課題を解決するための手段】
この目的は、巻線の本体部からの第１の巻線の巻線端片（ｅｎｄ ｐｉｅｃｅ）が第１のフランジの少なくとも１つの凹部を通ってガイドされ、巻線の本体部からガイドされる第２の巻線の巻線端片が設けられ、上記巻線端片が少なくとも部分的にルーズなライン端部を形成する点で達成される。
【０００６】
第２の巻線のルーズなライン端部を使用すると、このルーズなライン端部が接続される電気的な接点の距離及び第１の巻線の電位差のある場所が用途に依存して十分に大きく選択される場合、簡単なやり方で、受け入れられない漏れ電流が回避される。第１の巻線と接続された接続素子、例えば接続ピンを含む上記トランスの残りの部分は、非常にコンパクトな形に設計され得る。
【０００７】
上記トランスは、とりわけ、特に１つの部品として設計されたフェライトのコアを有している。このようなコアは、非常にコンパクトに製造され得る。第２の巻線の巻線端片は、例えば、中心部の領域において巻線の本体部からガイドされ、ルーズなライン端部に直接変わり得る。代替として、上記巻線端片は、第２のフランジの少なくとも１つの凹部を通って外側にガイドされ得る。第２のフランジの外側において、ルーズなライン端部に変えるために巻線端片が例えばねじることにより固定される。第１の巻線の巻線端片は、第１のフランジに配された接続ピンと接続されることが好ましい。変形例では、接続素子又はピンは、第１のフランジ上に直接位置するのではなく、第１のフランジ上に配されたベースプレートが設けられ、これが接続素子を支持する。このようなベースプレートは、別途製造され、後の製造工程において第１のフランジ上に配され得る。変形例では、ベースプレートは、第１のフランジを超えて延在し、この外側領域では第２の巻線のルーズなライン端部と接続された接続素子を有する。このようなベースプレートを有するトランスは、後に、トランスの製造時に上記ライン端部とベースプレート上の関連する接続素子との間の接触が生成された回路基板に取り付けられることが可能であり、回路基板の製造に際してもはや生成される必要がない。
【０００８】
上述した目的は、巻線の本体部からガイドされる第１の巻線の巻線端片が第１のフランジの周囲近傍に直接ガイドされて、第１のフランジの中心部と反対側に配置された接続素子と接続され、巻線の本体部からガイドされる第２の巻線の巻線端片が設けられ、上記巻線端片が少なくとも部分的にルーズなライン端部を形成する点においても達成される。この解決策では、第１のフランジにおいて凹部が不要である。このトランスの変形例では、接続素子が取り付けられる接続モジュールが設けられる。上記接続モジュールの凹部は、巻線端片をガイドする役割を果たす。
【０００９】
本発明は、また、ルーズなライン端部が直接接続される上述した態様の１つに従うトランスを伴った回路基板に関する。
【００１０】
本発明は、図に示された実施の形態の例を参照して更に説明されるであろう。しかしながら、本発明は以下の実施の形態に限定されるものではない。
【００１１】
【発明の実施の形態】
図１は、ここではフェライトコアとして配されているコア１１を有するトランス１０を示している。コア１１は、ドラムの形をとっており、中心部１１ａ及び２つのフランジ１１ｂ，１１ｃを有している。このコア１１は、１つの部品として形成されていることが好ましいが、フランジ１１ｂ，１１ｃは、接着接合により中心部１１ａに接続された分離した構成部品であってもよい。中心部１１ａには、第１の巻線（例えば、トランスの一次巻線）１２及び第２の巻線（例えば、トランスの二次巻線）１３が巻回されている。巻線１１と巻線１２との十分な絶縁を確実にするために、外側の巻線１３は絶縁材料の三層のシース（ｓｈｅａｔｈ）（図示せず）を有していることが好ましく、その場合、巻線１２は単一のラッカー絶縁を伴うワイヤであり得る。上記トランスの巻線１２は、中心部１１ａに対向して位置するフランジ１１ｂの外側にフランジ１１ｂの凹部（図４参照）を通ってガイドされる巻線端片１２ａ，１２ｂを有している。フランジ１１ｂの外側には、接続ピンとして形成された接続素子１４ａ，１４ｂが配置されている。接続ピン１４ａ，１４ｂは、例えば接着接合によりフランジ１１ｂの外側部と接続されている。巻線端片１２ａは接続片１４ａと電気的に接続されている。巻線端片１２ｂは接続ピン１４ｂと電気的に接続されている。
【００１２】
上記トランスの巻線１３は、中心部１１ａに対向して位置するフランジ１１ｃの外側にフランジ１１ｃの凹部（図４参照）を通ってガイドされる巻線端片１５ａ，１５ｂを有している。フランジ１１ｃの外側に現れるこれら巻線端片１５ａ，１５ｂは、互いにねじられているか、そうでなければフランジ１１ｃの極近傍において互いに機械的に接続されており、ルーズなライン端部１５ａａ，１５ｂｂに変わっている。
【００１３】
トランス１０は、回路基板１６上に配置されている。接続ピン１４ａ，１４ｂは、回路基板１６の孔部を通ってガイドされ、はんだ接合により接点１７，１８を介して回路基板１６の回路と電気的に接続されている。ライン端部１５ａａ，１５ｂｂは、はんだ接合により接点１９，２０において回路基板１６の回路と電気的に接続されている。一実施の形態では、ライン端部１５ａａ，１５ｂｂは、回路基板１６のホールを貫通し、はんだ接合により回路基板１６の下面において回路基板１６の回路と電気的に接続される。これは、一方の側においてのみはんだ接合が施される回路基板においても本発明の使用を可能にする。理解し易くするために、回路基板１６の一部分のみが示されている。回路基板に配されている他の構成要素及び回路の図示もまた省略されている。
【００１４】
接点１９，２０は、漏れ電流が十分に防止される、すなわち漏れ経路が予め特定可能な（ｐｒｅｓｐｅｃｉｆｉａｂｌｅ）長さに低減されるだけ、巻線１２，１３を有するトランスのコアから離れて配置されている。ここでは、接点１９，２０におけるはんだ接続は手作業によりもたらされることが好ましい。
【００１５】
図２は、図１の実施の形態の変形例を示している。図１のトランス１０の変更が、参照符号１０′により示されている。トランス１０′は、絶縁材料よりなるベースプレート２１を有しており、このベースプレート２１の上には、コア１１の中心部１１ａと対向するフランジ１１ｂの外側表面が配置されている。ベースプレート２１はホールを有しており、これを通って接続ピン１４ａ，１４ｂがガイドされる。図２の例の巻線端片１５ａ，１５ｂは、フランジ１１ｃの凹部を通らずにガイドされ、フランジ１１ｂ，１１ｃ間において巻線１２，１３を有する巻線の本体部から現れ、ベースプレート２１上の接点２４，２５までルーズなライン端部として延びており、接点２４，２５において接続ピン２２，２３とはんだ付けされている。これは、製造時にコンタクトを容易する。ある設計における接続ピン２２，２３は、ベースプレート２１の上面の上に突出しており（図示せず）、はんだ付けされる前に、必要に応じてルーズなライン端部が接続ピンの凸部のまわりに巻き付けられる。接続ピン２２，２３は、ベースプレート２１のホールを貫通するとともに、参照符号１６′により示されている対応する変更された回路基板１６のホールを貫通し、回路基板１６′の下面の接点２６，２７において回路基板１６′の回路とはんだ付けされている。ベースプレート２１は、接点２４，２５が遠くに位置し、漏れ電流が十分に防止されるように、フランジ１１ｂの下部外面（ｌｏｗｅｒ ｏｕｔｓｉｄｅ）にわたって横方向に延在している。
【００１６】
図３の実施の形態の例では、図２におけるような巻線端片１５ａ，１５ｂが、コア１１のフランジ１１ｂとフランジ１１ｃとの間において巻線の本体部からルーズなライン端部としてガイドされ、接点１９，２０において回路基板１６と直接接続されている。フランジ１１ｂ上に、ここではプラスチックよりなる接続モジュール３０が配置され、接続ピン１４ａ，１４ｂを支持している。この接続モジュール３０は側面の凹部（図示せず）も有しており、該凹部は、フランジ１１ｂの縁部付近において直接巻線１２の巻線端片１２ａ，１２ｂを接続ピン１４ａ，１４ｂにガイドする。図１におけるような接続ピン１４ａ，１４ｂは、回路基板１６のホールを貫通し、下面において回路基板１６の回路と電気的に接続されている。コア１１、巻線１２，１３、接続モジュール３０及び接続ピン１４ａ，１４ｂを有するトランス１０の変更が、参照符号１０″により示されている。
【００１７】
図４は、フェライトコアとして設計されたコア１１の一例を示している。フランジ１１ｂ及びフランジ１１ｃは、それぞれ４０及び４１又は４２及び４３として表されている２つの凹部を有している。凹部４０，４１を通って、図１及び図２の実施の形態の巻線端片１２ａ，１２ｂがガイドされる。図１の実施の形態では、凹部４２，４３は、巻線端片１５ａ，１５ｂをガイドする役割を果たす。図２の実施の形態では、凹部４２，４３は必要ではない。図３に従う実施の形態では、凹部４０，４１及び凹部４２，４３の両方が必要ではない。
【００１８】
本発明は、図１ないし図４に示されている特別な実施の形態に限定されるものではない。コア１１の凹部を通って又は図３のようにコアのフランジの縁部付近に直接巻線端片をガイドするやり方及び方法は、必要に応じて組み合わされ得る。図示されていない他の変形例では、図２のようにベースプレート２１が設けられるが、このベースプレートは、本質的にフランジ１１ｂの下側の外表面にわたってのみ延在する。その結果、この実施の形態では接続ピン２２，２３は必要とされず、巻線端片１５ａ，１５ｂの接続は、回路基板１６上に直接配された接点１９，２０により図１のように達成される。
【図面の簡単な説明】
【図１】回路基板に取り付けられたトランスを示す図である。
【図２】回路基板に取り付けられた他のトランスを示す図である。
【図３】回路基板に取り付けられた更に他のトランスを示す図である。
【図４】トランスのコアの一例を示す図である。
【国際公開パンフレット】
2004521517.tif 000003
2004521517.tif 000004
2004521517.tif 000005
2004521517.tif 000006
2004521517.tif 000007
2004521517.tif 000008
2004521517.tif 000009
2004521517.tif 000010
2004521517.tif 000011
2004521517.tif 000012
【国際調査報告】
2004521517.tif 000013
2004521517.tif 000014